(57)【特許請求の範囲】
【請求項１】
受信信号のアラーム状態を監視するアラーム監視装置であって、
該受信信号についての第１のグレードのアラーム検出状態が第１のアラーム検出時間継続するとアラーム出力し、該第１のグレードのアラーム非検出状態が第１のアラーム解除時間継続すると当該アラーム出力を解除する第１のアラーム検出／解除部と、
該受信信号についての第２のグレードのアラーム検出状態が第２のアラーム検出時間継続するとアラーム出力し、該第２のグレードのアラーム非検出状態が第２のアラーム解除時間継続すると当該アラーム出力を解除する第２のアラーム検出／解除部と、
上記の各グレード間のアラーム検出状態の状態遷移に起因して、一方のアラーム検出／解除部での該アラーム解除時間の経過により一方のグレードのアラーム出力が解除されても、他方のアラーム検出／解除部がアラーム検出状態であると、当該他方のアラーム検出／解除部が該アラーム検出時間の経過によりアラーム出力するまで該一方のグレードについてのアラーム出力を維持するアラーム出力保護部とをそなえたことを特徴とする、アラーム監視装置。
【請求項２】
該アラーム出力保護部が、
該第１のアラーム検出／解除部での該第１のアラーム解除時間の経過により該第１のグレードについてのアラーム出力が解除されても、該第２のアラーム検出／解除部が該第２のグレードのアラーム検出状態であると、当該第２のアラーム検出／解除部が該第２のアラーム検出時間の経過によりアラーム出力するまで該第１のグレードについてのアラーム出力を維持する第１保護回路と、
該第２のアラーム検出／解除部での該第２のアラーム解除時間の経過により該第２のグレードについてのアラーム出力が解除されても、該第１のアラーム検出／解除部が該第１のグレードのアラーム検出状態であると、当該第１のアラーム検出／解除部が該第１のアラーム検出時間の経過によりアラーム出力するまで該第２のグレードについてのアラーム出力を維持する第２保護回路とをそなえたことを特徴とする、請求項１記載のアラーム監視装置。
【請求項３】
リングネットワークに接続される伝送装置において、
二方向から受信する同一データのうち一方向のデータをアラーム情報に基づいて選択的に受信する選択受信部と、
該選択受信部での該データの選択基準とするアラーム情報を発生するアラーム監視部とをそなえるとともに、
該アラーム監視部が、
受信信号としての該一方向のデータについての第１のグレードのアラーム検出状態が第１のアラーム検出時間継続するとアラーム出力し、該第１のグレードのアラーム非検出状態が第１のアラーム解除時間継続すると当該アラーム出力を解除する第１のアラーム検出／解除部と、
該受信信号についての第２のグレードのアラーム検出状態が第２のアラーム検出時間継続するとアラーム出力し、該第２のグレードのアラーム非検出状態が第２のアラーム解除時間継続すると当該アラーム出力を解除する第２のアラーム検出／解除部と、
上記の各グレード間のアラーム検出状態の状態遷移に起因して、一方のアラーム検出／解除部での該アラーム解除時間の経過により一方のグレードのアラーム出力が解除されても、他方のアラーム検出／解除部がアラーム検出状態であると、当該他方のアラーム検出／解除部が該アラーム検出時間の経過によりアラーム出力するまで該一方のグレードについてのアラーム出力を維持するアラーム出力保護部とをそなえて構成されたことを特徴とする、伝送装置。
【請求項４】
受信信号のアラーム状態を監視するアラーム監視装置であって、
該受信信号についての異なるグレードの複数種類のアラームに応じて設けられ、それぞれ、アラーム検出状態が所定のアラーム検出時間継続するとアラーム出力し、アラーム非検出状態が所定のアラーム解除時間継続すると当該アラーム出力を解除する複数のアラーム検出／解除部をそなえるとともに、
上記の各グレード間のそれぞれについて、一方のグレードに対応するアラーム検出／解除部での該アラーム解除時間の経過により一方のグレードについてのアラーム出力が解除されても、他方のグレードに対応するアラーム検出／解除部がアラーム検出状態であると、当該他方のグレードに対応するアラーム検出／解除部が該アラーム検出時間の経過によりアラーム出力するまで、該一方のグレードについてのアラーム出力を維持するアラーム出力保護部が設けられたことを特徴とする、アラーム監視装置。
【請求項５】
リングネットワークに接続される伝送装置において、
二方向から受信する同一データのうち一方向のデータをアラーム情報に基づいて選択的に受信する選択受信部と、
該選択受信部での該データの選択基準とするアラーム情報を発生するアラーム監視部とをそなえるとともに、
該アラーム監視部が、
受信信号としての該一方向のデータについての異なるグレードの複数種類のアラームに応じて設けられ、それぞれ、アラーム検出状態が所定のアラーム検出時間継続するとアラーム出力し、アラーム非検出状態が所定のアラーム解除時間継続すると当該アラーム出力を解除する複数のアラーム検出／解除部をそなえるとともに、
上記の各グレード間のそれぞれについて、一方のグレードに対応するアラーム検出／解除部での該アラーム解除時間の経過により一方のグレードについてのアラーム出力が解除されても、他方のグレードに対応するアラーム検出／解除部がアラーム検出状態であると、当該他方のグレードに対応するアラーム検出／解除部が該アラーム検出時間の経過によりアラーム出力するまで、該一方のグレードについてのアラーム出力を維持するアラーム出力保護部をそなえて構成されたことを特徴とする、伝送装置。
【発明の詳細な説明】
【０００１】
【発明の属する技術分野】
本発明は、受信信号についてのアラーム状態（品質状態）を監視して、外部装置へアラーム通知する装置やアラーム通知を回線の切替情報(切替トリガ)としている装置に用いて好適なアラーム監視装置および伝送装置に関し、特に、ＳＤＨ（Synchronous Digital Hierarchy）網やＳＯＮＥＴ(Synchronous Optical NEＴworkの略称で北米Bellcoreによる規定)等の新同期網を構成する伝送装置に用いて好適な技術に関する。
【０００２】
【従来の技術】
図６はＳＤＨやＳＯＮＥＴに準拠した新同期網（リング網）の一例を示すブロック図で、この図６に示す新同期網（リングネットワーク）１００は、複数の伝送装置（ノード）Ａ〜Ｄが主に光伝送路（光ファイバ）１０３（以下、単に「伝送路１０３」と略記することもある）によりリング状に接続されて構成されており、各ノードＡ〜Ｄには、それぞれ、高次群装置１０１と低次群装置１０２とがさらにそなえられており、これらの高次群装置１０１と低次群装置１０２とは主に電気回線（同軸ケーブル等）１０４により接続されている。
【０００３】
ここで、高次群装置１０１は、低次群装置１０２からの低次群信号をバイト多重してリング網１００（ノード間）が扱う高次群信号を組み立ててリングネットワーク１００へ伝送する一方、高次群信号に多重されている低次群信号を分離して低次群装置１０２へ伝送する機能を装備するものであり、低次群装置１０２は、低次群側のネットワーク（図示省略）が扱う低次群信号を高次群装置１０１へ伝送する一方、高次群装置１０１から伝送されてくる低次群信号を低次群側のネットワークへ伝送する機能を装備するものである。
【０００４】
これにより、低次群側のネットワークで扱われる既存サービスの信号（低次群信号）を高次群装置１０１でリングネットワーク１００上を伝送される高次群信号にアド（Add）したり、低次群側のネットワークで扱われる低次群信号を高次群装置１０１にて高次群信号から低次群装置１０２へドロップ（Drop）したりすることができる。
【０００５】
なお、上記の低次群信号と高次群信号の関係は、例えばＳＯＮＥＴの場合、OC-12(Optical Carrier at level 12:約622 Mb/sの光伝送フレーム)を低次群信号と考えれば、これを３フレーム分バイト多重したOC-48（約2.4 Gb/sの光伝送フレーム）が高次群信号となり、このOC-48をさらに３フレーム分バイト多重すれば、OC-48が低次群信号、OC-192（約10 Gb/sの光伝送フレーム）が高次群信号となる。
【０００６】
さて、このようなＳＤＨやＳＯＮＥＴに準拠した新同期網１００では、通常、光伝送路１０３の回線品質（アラーム）状態によって信号伝送経路を自動的に切り替えるＡＰＳ（Automatic Path Switch）技術が適用される。
即ち、例えば、リングネットワーク１００では、或るノード（仮に、ノードＡ）の高次群装置１０１からＥＡＳＴ方向及びＷＥＳＴ方向のそれぞれに同じ信号を伝送し、その伝送信号が経時劣化したり、伝送路１０３にて障害が発生したりすると、受信端ノードＤの高次群装置１０１において、その状態（アラーム状態）が検出され、品質の良い方の信号を受信信号として選択することが行なわれる。
【０００７】
このため、新同期網１００を構成するノードＡ〜Ｄには、一般に、それぞれ、受信信号の品質（アラーム）状態を検出する機能（アラーム検出機能）及びＡＰＳ機能が実装されている。即ち、仮に受信信号のアラーム状態がグレード（重要度）の異なる２種類であるとすると、例えば図７に示すように、ノードＡ〜Ｄは、アラーム監視装置２００として各グレードについてのアラーム検出／解除回路部１１１ａ，１１１ｂ及びＰＣ部１１１ｃを有するＥＡＳＴ方向用の受信部１１１Ｅと、ＡＰＳ部１１３を有するＥＡＳＴ方向用の送信部１１２Ｅと、ＥＡＳＴ方向用の受信部１１１Ｅと同様の構成（アラーム監視装置２００）を有するＷＥＳＴ方向用の受信部１１１Ｗと、ＡＰＳ部１１４を有するＷＥＳＴ方向用の送信部１１２Ｗと、ＡＰＳ部１１５とをそなえて構成される。なお、この図７において、太実線は主信号線を表しており、細実線は、アラーム信号線や制御信号線を表している。
【０００８】
ここで、受信部１１１Ｅ（アラーム監視装置２００）において、一方のアラーム検出／解除回路部１１１ａは、受信信号〔信号入力(1)〕について所定のグレードのアラームを検出して、その検出状態が所定のアラーム検出時間継続すると、そのアラームについてのアラーム信号を出力し、その後にアラームが検出されなくなりその状態（非検出状態）が所定のアラーム解除時間継続すると、上記アラーム信号の出力を解除するものである。
【０００９】
他方のアラーム検出／解除回路部１１１ｂは、同じ信号入力(1)について上記のアラームよりもグレードの高い異なる種類のアラームを検出して、その検出状態が所定のアラーム検出時間継続すると、そのグレードの高いアラームについてのアラーム信号を出力し、その後にアラームが検出されなくなりその状態が所定のアラーム解除時間継続すると、グレードの高いアラームについてのアラーム信号の出力を解除するものである。なお、グレードの低いアラーム，高いアラームの具体例については後述する。また、各グレードのアラームは時間的に重複して発生することはない。
【００１０】
そして、ＰＣ部１１１ｃは、これらの各アラーム検出／解除回路部１１１ａ，１１１ｂの出力結果(アラームの検出結果／解除結果)を受けることにより、その情報（アラーム情報）をシステム保守用の保守端末（図示省略）などに通知するとともに、各ＡＰＳ部１１３〜１１５での信号選択基準となるＡＰＳ切替トリガとして供給するものである。なお、受信部１１１Ｗにおいても、上述した受信部１１１Ｅと同様にしてアラームの検出／解除が行なわれて、ＡＰＳ切替トリガが各ＡＰＳ部１１３〜１１５に供給される。
【００１１】
また、ＡＰＳ部（選択受信部）１１３〜１１５は、それぞれ、二方向からの同一データ、即ち、ＥＡＳＴ方向への信号入力(1)とＷＥＳＴ方向への信号入力(2)とを入力とし、受信部１１１Ｅ又は１１１ＷのＰＣ部１１１ｃからのＡＰＳ切替トリガによって、これらの信号入力(1)，(2)の切り替え（選択）を行なうものである。なお、通常、信号入力(1)及び信号入力(2)のいずれか一方が現用（ワーク）、他方が予備（プロテクション）として予め設定されているので、ＡＰＳ部１１３〜１１５は、それぞれ、アラーム検出状態が解除されてノーアラーム状態となると、現用（ワーク）の信号入力を選択することになる（現用への切り戻し動作が発生する）。この切り替え処理は、ＣＰＵによるソフトウェア処理で実現することができる。
【００１２】
以下、上述のごとく構成されたノードＡ〜Ｄの動作について説明する。ただし、以下では、信号入力(1)（以下、信号(1)と表記することもある）をワーク、信号入力(2)（以下、信号(2)と表記することもある）をプロテクションと考える。まず、受信部１１１Ｅに入力された信号(1)は、ＡＰＳ部１１３，１１４，１１５にそれぞれ入力され、受信部１１１Ｗに入力された信号(2)も、ＡＰＳ部１１３，１１４，１１５にそれぞれ入力される。
【００１３】
そして、ＡＰＳ部１１３，１１４，１１５では、それぞれ、信号入力(1)と信号入力(2)との切り替えを行なっており、ＡＰＳ部１１３の出力は出力信号(1)として出力され、ＡＰＳ部１１４の出力は出力信号(2)として出力され、ＡＰＳ部１１５の出力は低次群装置１０２へ出力される。
ここで、受信部１１１Ｅのアラーム監視装置２００では、アラーム検出／解除回路部１１１ａ，１１１ｂにて信号入力(1)から、アラームの抽出（検出）を行なっており、それぞれの出力結果は、ＰＣ部１１１ｃへ渡される。ＰＣ部１１１ｃは、それぞれのアラーム情報を、保守端末などに通知するとともに、ＡＰＳ部１１３，１１４，１１５にＡＰＳ切替トリガとして供給する。
【００１４】
また、受信部１１１Ｗのアラーム監視装置２００でも、受信部１１１Ｅと同様に、アラーム情報を、保守端末などに通知するとともに、ＡＰＳ部１１３，１１４，１１５にＡＰＳ切替トリガとして供給する。
ここで、例えば、グレードの低いアラームが受信部１１１Ｅのアラーム検出／解除回路部１１１ａで検出されると、ＰＣ部１１１ｃから各ＡＰＳ部１１３，１１４，１１５にＡＰＳ切替トリガが供給される。このＡＰＳ切替トリガを受けたＡＰＳ部１１３，１１４，１１５は、それぞれ、入力信号(2)を選択するように内部の切り替え動作を制御する。
【００１５】
以上のようにして、新同期網１００を構成するノードＡ〜Ｄでは、ＡＰＳ切替トリガによって、各ＡＰＳ部１１３，１１４，１１５においてそれぞれ出力信号の切り替え（選択）が行なわれて、信号品質の良い方の回線が常に選択されることになる。
ところで、具体的に、上記のアラームの検出／解除を行なうべきアラームの種類には、例えば、ＳＯＮＥＴの規定では、OC-48の場合、次表１に示すものが規定されており、そのアラーム検出時間及びアラーム解除時間も規定されている。
【００１６】
【表１】
0003771479.tif 000002
【００１７】
なお、「アラーム検出時間」（以下、単に「検出時間」ともいう）とは、受信信号のアラーム状態が検出されてからその状態がどの程度継続するとアラーム発生とするかを規定する時間であり、「アラーム解除時間」（以下、単に「解除時間」ともいう）とは、その後に、同じアラーム状態が検出されなくなってからその非検出状態がどの程度継続するとアラーム解除とするかを規定する時間である。
【００１８】
つまり、受信信号のアラーム状態の検出／非検出により直ちにアラームを出力／解除するのではなく、アラームの検出／非検出から一定時間（保護時間）その状態が継続してから初めてアラームを出力／解除するのである。これにより、極めて短時間のアラーム状態の遷移により頻繁にアラームの出力／解除が行なわれてしまうことを防止できる。
【００１９】
さて、ここで、上記の表１において、BER-SD(-6)は、Bit Error Rate Signal Degrade level at 10E-6の略で、受信信号の10E6ビット内で１ビットのエラーが生じている状態を意味し、同様に、BER-SF(-3)は、Bit Error Rate Signal Fail level at 10E-3の略で、受信信号の10E3ビット内で１ビットのエラーが生じていることを意味する。
【００２０】
したがって、上記のBER-SD(-6)アラームは、受信信号の10E6ビット内で１ビットのエラーが生じている状態が上記検出時間（787.5 ms）継続すると発生し、その後に、かかる状態が回復しBER-SD(-6)の非検出状態が上記解除時間（78.75 ms）継続すると、当該BER-SD(-6)アラームが解除されることになる。同様に、上記のBER-SF(-3)アラームは、受信信号の10E3ビット内で１ビットのエラーが生じている状態が上記検出時間（7.25 ms）継続すると発生し、その後に、かかる状態が回復しBER-SF(-3)の非検出状態が上記解除時間（725 ms）継続すると、当該BER-SF(-3)アラームが解除されることになる。
【００２１】
一方、LOFアラームは、LOF(Loss Of Frame)やOOF(Out Of Frame)等の受信信号（ＳＯＮＥＴ伝送フレーム）の同期外れ状態が上記検出時間（OOFの検出状態が3 ms）継続すると発生するアラームであり、その後に、非同期外れ状態が上記解除時間（250 μｓ）継続すると解除される。なお、OOFの検出時間は625 μｓである。
【００２２】
また、LOS(Loss Of Signal)アラームは、信号入力断状態が上記検出時間（12.5 μｓ）継続すると発生するアラームで、その後に、非信号入力断状態が上記解除時間（100 μｓ）継続すると解除される。そして、ＳＯＮＥＴでは、表１に示すように、上記４種類のアラームのうち、BER-SD(-6)アラームが最もグレード（重要度）の低いアラームで、LOSアラームが最もグレードの高いアラームである。
【００２３】
なお、これらの各アラーム状態は、異なるグレードのアラーム状態へ時間的に連続して遷移することはあっても、重複して発生することはない。また、一般に、グレードの高いアラームほど検出時間が短く、解除時間が長いといえる。
そして、上記４種類のアラームについてのアラーム検出／解除機能を受信部１１１Ｅ（１１１Ｗ）に実装したノード構成が、図８に示すものである。即ち、この図８に示すノードＡ〜Ｄは、受信部１１１Ｅ（１１１Ｗ）に、アラーム監視装置２０１として、BER-SD(-6)アラーム検出／解除回路部１１１−１，BER-SF(-3)アラーム検出／解除回路部１１１−２，LOFアラーム検出／解除回路部１１１−３，LOSアラーム検出／解除回路部１１１−４及びＰＣ部１１１−５がそなえられており、各アラーム検出／解除回路部１１１−１〜１１１−４の出力（アラーム情報）によって、ＰＣ部１１１−５からＡＰＳ切替トリガが各ＡＰＳ部１１３〜１１５へ供給されて、回線切り替えが実施されるのである。なお、他の構成及び動作は、図７により前述したものと同様である。
【００２４】
【発明が解決しようとする課題】
ところで、実際の伝送路１０３は、回線品質状態が常に安定しているわけではなく、送信側ノードの経時劣化や、伝送路１０３内の障害などのさまざまな要因によりその品質状態が変化するので、受信側ノード（アラーム監視装置２００又は２０１）において、常にシーケンシャル(連続的)にアラームの検出／解除が行なわれているわけではない。
【００２５】
例えば、グレードの低いアラーム状態からグレードの１つ高いアラーム状態に状態が遷移する場合も、１度の状態遷移で遷移先のグレードの高いアラーム状態に落ち着くのではなく、グレードの低いアラーム状態とグレードの高いアラーム状態を一定時間繰り返す場合がある。特に、送信側ノードに経時劣化が発生した場合には、比較的長い時間をかけてアラーム状態が遷移するので、このようなアラーム状態遷移の繰り返し（異なるグレード間でのアラーム状態のふらつき）が発生しやすくなる。
【００２６】
このような場合、アラーム監視装置２００又は２０１では、異なるグレードについてのアラーム検出／解除回路部によるアラーム検出／解除処理が短期間に繰り返されることになるので、各グレードのアラーム検出／解除回路部でのアラーム検出時間及びアラーム解除時間の設定によっては、或るグレードのアラーム状態が発生しているにも関わらず、ノーアラーム状態となってしまうことがある。
【００２７】
かかるノーアラーム状態の発生を、図９に示すタイムチャートを用いて説明する。なお、この図９に示すタイムチャートは、図７に示すアラーム監視装置２００での動作（２種類のアラーム状態に着目した動作）を示している。
この図９では、下記条件Ａ，Ｂの場合に、異なるグレードのアラーム状態間の状態遷移が連続すると、ノーアラーム状態（図９中に▲１▼，▲２▼で示す箇所）が発生することを示している。
【００２８】
条件Ａ：グレードの高いアラーム状態の解除時間が、グレードの低いアラーム状態の検出時間よりも短い場合
条件Ｂ：グレードの高いアラーム状態の検出時間が、グレードの低いアラーム状態の解除時間よりも長い場合
即ち、上記の条件Ａとして、グレードの低いアラーム状態の検出時間を４ｍｓ，解除時間を１ｍｓとし、上記の条件Ｂとして、グレードの高いアラーム状態の検出時間を２ｍｓ、解除時間を３ｍｓと仮定すると、グレードの高いアラーム状態からグレードの低いアラーム状態への状態遷移が生じた場合には、上記の条件Ａにより、その状態遷移が発生（時点Ｔ２又はＴ４参照）してからグレードの低いアラーム状態がその検出時間（４ｍｓ）継続して、グレードの低いアラームについてのアラーム検出／解除回路部１１１ａからアラーム出力される（時点Ｔ２２又はＴ４２参照）までに、グレードの高いアラームについてのアラーム検出／解除回路部１１１ｂからのアラーム出力が解除時間（３ｍｓ）経過により解除される（時点Ｔ２１又はＴ４１参照）ため、▲１▼で示す箇所（時点Ｔ２１〜Ｔ２２又は時点Ｔ４１〜Ｔ４２の間）にノーアラーム状態が発生することになる。
【００２９】
逆に、グレードの低いアラーム状態からグレードの高いアラーム状態への状態遷移が生じた場合には、上記の条件Ｂにより、その状態遷移が発生（時点Ｔ１又はＴ３参照）してからグレードの高いアラーム状態がその検出時間（２ｍｓ）継続して、グレードの高いアラームについてのアラーム検出／解除回路部１１１ｂからアラーム出力される（時点Ｔ２又はＴ４参照）までに、グレードの低いアラームについてのアラーム検出／解除回路部１１１ｂからのアラーム出力が解除時間（１ｍｓ）経過により解除される（時点Ｔ１１又はＴ３１参照）ため、▲２▼で示す箇所（時点Ｔ１１〜Ｔ２又は時点Ｔ３１〜Ｔ４の間）にノーアラーム状態が発生する。
【００３０】
このようなノーアラーム状態は、図８に示すアラーム監視装置２０１においても、同様に発生する。即ち、BER-SD(-6)，BER-SF(-3)，LOF，LOSの各アラームの検出時間及び解除時間がそれぞれ前記の表１に示すように規定されている場合、グレードの低いBER-SD(-6)アラームの検出時間(＝787.5 ms)よりも、グレードの高いBER-SF(-3)の解除時間(＝725 ms)の方が短い（前記の条件Ａを満足する）ことから、グレードの高いBER-SF(-3)アラーム状態からグレードの低いBER-SD(-6)アラーム状態への状態遷移が生じると、62.5 ms (＝787.5 ms−725 ms)の間（図９中の▲１▼で示す箇所に相当する箇所に）、ノーアラーム状態が発生することが判る（図１０に示す符号３０１，３０２参照）。
【００３１】
同様に、グレードの低いBER-SF(-3)アラームの検出時間(＝7.25 ms)よりも、グレードの高いLOFアラームの解除時間(＝250 μｓ)の方が短い（前記の条件Ａを満足する）ことから、グレードの高いLOFアラーム状態からグレードの低いBER-SF(-3)アラームへの状態遷移が生じると、7 ms(＝7.25 ms−0.25 ms)の間（図９中の▲１▼で示す箇所に相当する箇所に）、ノーアラーム状態が発生することが判る（図１０に示す符号３０３，３０４参照）。
【００３２】
また、グレードの低いLOFアラームの検出時間(＝3 ms)よりも、グレードの高いLOSアラームの解除時間(＝100 μｓ)の方が短い（前記の条件Ａを満足する）ことから、グレードの高いLOSアラーム状態からグレードの低いLOFアラーム状態への状態遷移が生じると、2.9 ms(＝3 ms−0.1 ms)の間（図９中の▲１▼で示す箇所に相当する箇所に）、ノーアラーム状態が発生することが判る（図１０に示す符号３０５，３０６参照）。
【００３３】
なお、いずれの場合も、前記の条件Ｂは満足しない〔グレードの高いアラームの検出時間（＝7.25 ms/3 ms/12.5 μｓ）の方が、グレードの低いアラームの解除時間（＝78.75 ms/725 ms/250 μｓ）よりも短い〕ので、上記とは逆に、グレードの低いアラーム状態からグレードの高いアラーム状態への状態遷移が生じても、グレードの低いアラームが解除される前に、グレードの高いアラームが出力されるため、図９中の▲２▼で示す箇所に相当する箇所にはノーアラーム状態は発生しない。
【００３４】
以上のようなノーアラーム状態の発生は、前記のＡＰＳ切替トリガ（以下、単に「切替トリガ」ともいう）が、アラームの状態変化時(検出時／解除時)に発生することから、不要な切替トリガの発生を引き起こすことになる(図９及び図１０中の点線矢印３０７参照)。
したがって、異なるグレードのアラーム状態間でアラーム状態がふらつくことにより、それらのグレード間のアラーム状態の遷移が短時間に多発した場合には、ＡＰＳ部１１３〜１１５に対して、切替トリガが多発することになり、ＡＰＳ部１１３〜１１５において、この切替トリガに応じた切り替え処理をＣＰＵによるソフトウェアで行なっていると、ＣＰＵに対する負荷が非常に高くなり、ＣＰＵの処理能力の限界を超えた場合には、ＡＰＳ部１１３〜１１５がフリーズする場合がある。
【００３５】
本発明は、このような課題に鑑み創案されたもので、アラームの検出時間及び解除時間の設定いかんによって、異なるグレードのアラーム状態間でアラーム状態遷移が連続して発生した場合のノーアラーム状態の発生を防止できるようにした、アラーム監視装置および伝送装置を提供することを目的とする。
【００３６】
【課題を解決するための手段】
上記の目的を達成するために、本発明のアラーム監視装置（請求項１）は、次の各部をそなえて構成されたことを特徴としている。
(1)受信信号についての第１のグレードのアラーム検出状態が第１のアラーム検出時間継続するとアラーム出力し、第１のグレードのアラーム非検出状態が第１のアラーム解除時間継続すると当該アラーム出力を解除する第１のアラーム検出／解除部
(2)受信信号についての第２のグレードのアラーム検出状態が第２のアラーム検出時間継続するとアラーム出力し、第２のグレードのアラーム非検出状態が第２のアラーム解除時間継続すると当該アラーム出力を解除する第２のアラーム検出／解除部
(3)上記の各グレード間のアラーム検出状態の状態遷移に起因して、一方のアラーム検出／解除部での該アラーム解除時間の経過により一方のグレードのアラーム出力が解除されても、他方のアラーム検出／解除部がアラーム検出状態であると、当該他方のアラーム検出／解除部が該アラーム検出時間の経過によりアラーム出力するまで該一方のグレードについてのアラーム出力を維持するアラーム出力保護部
上述のごとく構成された本発明のアラーム監視装置では、上記の各グレード間のアラーム検出状態の状態遷移に起因して、一方のグレードのアラームについてのアラーム解除時間の経過により、そのグレードのアラーム出力が解除されても、他方のグレードのアラームが検出状態であると、そのアラームについてのアラーム検出時間の経過によりアラーム出力があるまで上記一方のグレードについてのアラーム出力を維持するので、いずれかのグレードのアラームが検出されているにも関わらず上記のアラーム検出時間及び解除時間の設定いかんによってアラーム出力されない事態（ノーアラーム状態）が発生することを回避することができる。
【００３７】
ここで、上記のアラーム出力保護部は、第１のアラーム検出／解除部での第１のアラーム解除時間の経過により第１のグレードについてのアラーム出力が解除されても、第２のアラーム検出／解除部が第２のグレードのアラーム検出状態であると、その第２のアラーム検出／解除部が第２のアラーム検出時間の経過によりアラーム出力するまで第１のグレードについてのアラーム出力を維持する第１保護回路と、第２のアラーム検出／解除部での第２のアラーム解除時間の経過により第２のグレードについてのアラーム出力が解除されても、第１のアラーム検出／解除部が第１のグレードのアラーム検出状態であると、その第１のアラーム検出／解除部が第１のアラーム検出時間の経過によりアラーム出力するまで第２のグレードについてのアラーム出力を維持する第２保護回路とをそなえるのが好ましい。
【００３８】
このような構成を採ることで、第１のアラーム検出時間が第２のアラーム解除時間よりも短い場合および第１のアラーム解除時間が第２のアラーム検出時間よりも長い場合に、第２のアラーム検出状態から第１のアラーム検出状態への状態遷移時および第１のアラーム検出状態から第２のアラーム検出状態への状態遷移時にそれぞれ発生するノーアラーム状態を回避することができる（請求項２）。
【００３９】
また、本発明の伝送装置（請求項３）は、リングネットワークに接続される伝送装置であって、二方向から受信する同一データのうち一方向のデータをアラーム情報に基づいて選択的に受信する選択受信部と、この選択受信部でのデータの選択基準とするアラーム情報を発生するアラーム監視部とをそなえるとともに、このアラーム監視部が、上記請求項１記載のアラーム監視装置としての構成を有することを特徴としている。
【００４０】
上述のごとく構成された本発明の伝送装置では、二方向から受信する同一データのうち一方向のデータをアラーム情報に基づいて選択的に受信する、リングネットワークに接続される伝送装置において、上述したノーアラーム状態の発生を回避して、このノーアラーム状態の発生に起因する選択受信部での不要な選択動作の発生を回避することができる。
【００４１】
また、本発明のアラーム監視装置（請求項４）は、受信信号についての異なるグレードの複数種類のアラーム状態に応じて設けられ、それぞれ、アラーム検出状態が所定のアラーム検出時間継続するとアラーム出力し、アラーム非検出状態が所定のアラーム解除時間継続すると当該アラーム出力を解除する複数のアラーム検出／解除部をそなえるとともに、上記の各グレード間のそれぞれについて、一方のグレードに対応するアラーム検出／解除部でのアラーム解除時間の経過によりそのアラーム出力が解除されても、他方のグレードに対応するアラーム検出／解除部がアラーム検出状態であると、当該アラーム検出／解除部がアラーム検出時間の経過によりアラーム出力するまで、上記一方のグレードについてのアラーム出力を維持するアラーム出力保護部が設けられたことを特徴としている。
【００４２】
上述のごとく構成された本発明のアラーム監視装置では、受信信号について異なるグレードの複数種類のアラーム状態が存在し、これらの各グレード間のアラーム検出状態のいずれの状態遷移が発生しても、いずれかのグレードのアラームが検出されているにも関わらず上記のアラーム検出時間及び解除時間の設定いかんによってアラーム出力されない事態（ノーアラーム状態）が発生することを回避することができる。
【００４３】
また、本発明の伝送装置（請求項５）は、リングネットワークに接続される伝送装置であって、二方向から受信する同一データのうち一方向のデータをアラーム情報に基づいて選択的に受信する選択受信部と、この選択受信部でのデータの選択基準とするアラーム情報を発生するアラーム監視部とをそなえるとともに、このアラーム監視部が、上記請求項４記載のアラーム監視装置としての構成を有することを特徴としている。
【００４４】
上述のごとく構成された本発明の伝送装置でも、二方向から受信する同一データのうち一方向のデータをアラーム情報に基づいて選択的に受信する、リングネットワークに接続される伝送装置において、いずれのグレード間のアラーム状態の状態遷移時においても、上述したノーアラーム状態の発生を回避して、このノーアラーム状態の発生に起因する選択受信部での不要な選択動作の発生を回避することができる。
【００４５】
【発明の実施の形態】
以下、図面を参照して本発明の実施の形態を説明する。
（Ａ）基本実施形態の説明
まず、以下では、説明の簡単化のため、受信信号についてのアラーム状態として、２種類のアラーム状態（グレードの低いアラーム状態とグレードの高いアラーム状態）に限って説明する。
【００４６】
図１は本発明の基本実施形態を説明すべくアラーム監視装置の構成を示すブロック図で、この図１に示すアラーム監視装置（アラーム監視部）１も、例えば図６及び図７により前述した高次群装置１０１の受信部１１１Ｅ，１１１Ｗに適用され、ＥＡＳＴ及びＷＥＳＴの二方向から受信する同一データ（信号）のうちの一方向をＡＰＳ切替トリガ（アラーム情報）に基づいて選択的に受信するＡＰＳ部（選択受信部）１１３〜１１５での信号（データ）選択基準となる上記ＡＰＳ切替トリガを発生するものであるが、本実施形態では、グレードの低いアラームについてのアラーム検出／解除回路部２−１と、グレードの高いアラームについてのアラーム検出／解除回路部２−２と、グレードの低いアラームの検出状態を保持するための保護回路３−１と、グレードの高いアラームの検出状態を保持するための保護回路３−２と、Ｔ秒タイマ４と、エッジｎ回カウンタ部５と、ＰＣ部６とをそなえて構成されている。
【００４７】
ここで、アラーム検出／解除回路部（第１のアラーム検出／解除部）２−１は、受信信号のグレードの低いアラーム状態についてのアラーム検出／解除を行なうためのもので、このために、本実施形態では、受信信号からグレードの低いアラーム状態を検出する検出回路２１ａと、この検出回路２１ａでアラーム状態が検出されてからその検出状態が所定のアラーム検出時間継続するとアラーム出力する出力部２２ａと、受信信号からグレードの低いアラーム状態を監視し、出力部２２ａによるアラーム出力後に、そのアラームの非検出状態が所定のアラーム解除時間継続すると、出力部２２ａによるアラーム出力を解除（停止）させる解除回路２３ａとをそなえて構成されている。
【００４８】
同様に、アラーム検出／解除回路部（第２のアラーム検出／解除部）２−２は、受信信号のグレードの高いアラーム状態についてのアラーム検出／解除を行なうためのもので、上記のアラーム検出／解除回路部２−１と同様に、受信信号からグレードの低いアラーム状態を検出する検出回路２１ｂと、この検出回路２１ｂでアラーム状態が検出されてからその検出状態が所定のアラーム検出時間継続するとアラーム出力する出力部２２ｂと、受信信号からグレードの低いアラーム状態を監視し、出力部２２ｂによるアラーム出力後に、そのアラームの非検出状態が所定のアラーム解除時間継続すると、出力部２２ｂによるアラーム出力を解除（停止）させる解除回路２３ｂとをそなえて構成されている。
【００４９】
なお、上記の検出回路２１ａ及び２１ｂは、いずれも、受信信号から検出すべきアラーム状態を検出したら直ちに出力〔検出エッジ（↑）〕の出力を行なう（つまり、アラーム検出時間＝０秒）。
また、保護回路（第１保護回路）３−１は、グレードの低いアラームに対応するアラーム検出／解除回路２−１での解除時間経過によりそのアラーム出力が解除回路２３ａによって解除されても、グレードの高いアラーム検出／解除回路部２−２の検出回路２１ｂでグレードの高いアラーム状態が検出されていると、その検出信号（検出エッジ）により、そのアラーム検出／解除回路部２−２での検出時間経過によりその出力部２２ｂからアラーム出力されるまで、グレードの低いアラーム出力を維持するためのものである。
【００５０】
このため、本保護回路３−１は、図１中に示すように、グレードの低いアラームについての出力部２２ａの出力と、グレードの高いアラームについての検出回路２１ｂの出力（検出エッジ）とを論理和出力するＯＲゲート（第１論理和回路）３１ａと、このＯＲゲート３１ａの出力を反転出力するインバータ（第１反転回路）３２ａと、このインバータ３２ａの出力とグレードの高いアラームについての出力部２２ｂの出力とを論理和出力するＯＲゲート（第２論理和回路）３３ａと、このＯＲゲート３３ａの出力を反転出力するインバータ（第２反転回路）３４ａとをそなえて構成されている。
【００５１】
これにより、本保護回路３−１では、グレードの低いアラームについての出力部２２ａからのアラーム出力がアラーム解除時間の経過により解除されたとしても、グレードの高いアラームについての検出回路２１ｂでアラーム状態が検出されている限り、ＯＲゲート３１ａの出力がＨレベル（“１”）となり、インバータ３２ａの出力（つまり、第２のＯＲゲート３３ａの一方の入力）がＬレベル（“０”）となる。
【００５２】
したがって、グレードの高いアラームについての出力部２２ｂからのアラーム出力（つまり、第２のＯＲゲート３３ａの他方の入力）があるまで、ＯＲゲート３３ａの出力はＬレベルとなり、この結果、インバータ３４ａの出力がＨレベルとなりアラーム出力が維持される。これにより、図９により前述した▲１▼で示す箇所のノーアラーム状態（ひいては、不要なＡＰＳ切替トリガ）の発生を防止することが可能となる。
【００５３】
これに対し、保護回路（第２保護回路）３−２は、上記とは逆に、グレードの高いアラームに対応するアラーム検出／解除回路部２−２での解除時間経過によりそのアラーム出力が解除回路２３ｂによって解除されても、グレードの低いアラームに対応するアラーム検出／解除回路部２−１の検出回路２１ａでグレードの低いアラーム状態が検出されていると、その検出信号（検出エッジ）により、そのアラーム検出／解除回路部２−１での検出時間経過によりその出力部２２ａからアラーム出力されるまで、グレードの高いアラーム出力を維持するためのものである。
【００５４】
このため、本保護回路３−２も、上記の保護回路３−１と構成要素は同様であり、図１中に示すように、グレードの高いアラームについての出力部２２ｂの出力と、グレードの低いアラームについての検出回路２１ａの出力（検出エッジ）とを論理和出力するＯＲゲート（第３論理和回路）３１ｂと、このＯＲゲート３１ｂの出力を反転出力するインバータ（第３反転回路）３２ｂと、このインバータ３２ｂの出力とグレードの低いアラームについての出力部２２ａの出力とを論理和出力するＯＲゲート（第４論理和回路）３３ｂと、このＯＲゲート３３ｂの出力を反転出力するインバータ（第４反転回路）３４ｂとをそなえて構成されている。
【００５５】
これにより、本保護回路３−２では、グレードの高いアラームについての出力部２２ｂからのアラーム出力がアラーム解除時間の経過により解除されたとしても、グレードの低いアラームについての検出回路２１ａでアラーム状態が検出されている限り、ＯＲゲート３１ｂの出力がＨレベルとなり、インバータ３２ｂの出力（つまり、ＯＲゲート３３ｂの一方の入力）がＬレベルとなる。
【００５６】
したがって、グレードの低いアラームについての出力部２２ａからのアラーム出力（つまり、ＯＲゲート３３ｂの他方の入力）があるまで、ＯＲゲート３３ｂの出力はＬレベルとなり、この結果、インバータ３４ｂの出力がＨレベルとなりアラーム出力が維持される。これにより、図９により前述した▲２▼で示す箇所のノーアラーム状態（ひいては、不要なＡＰＳ切替トリガ）の発生を防止することが可能となる。
【００５７】
つまり、上記の保護回路３−１及び３−２は、上記の各グレード間のアラーム検出状態の状態遷移に起因して、一方のアラーム検出／解除回路部２−１（２−２）でのアラーム解除時間の経過により一方のグレードのアラーム出力が解除されても、他方のアラーム検出／解除回路部２−２（２−１）がアラーム検出状態であると、そのアラーム検出／解除回路部２−２（２−１）がアラーム検出時間の経過によりアラーム出力するまで上記一方のグレードについてのアラーム出力を維持するアラーム出力保護部としての機能を果たしているのである。
【００５８】
次に、Ｔ秒タイマ４は、保護回路３−１又は保護回路３−２の出力（Ｈレベル）によりＴ秒周期（監視周期）でトリガをエッジｎ回カウンタ部５へ供給するものであり、エッジｎ回カウンタ部（以下、単に「カウンタ部」ともいう）５は、このＴ秒タイマ４と連動して、上記監視周期内の保護回路３−１及び保護回路３−２の出力（エッジ数）をカウント（計数）し、そのカウント結果に応じて、いずれか一方のグレードについてのアラームを固定的に出力するものである。
【００５９】
例えば、上記監視周期内の検出エッジ数が所定の閾値以上であれば、グレードの高い又はグレードの低いアラームについてのアラーム出力に維持したり、上記監視周期内の検出エッジ数が閾値以上であれば、検出エッジ数の多い又は少ない方のアラームについてのアラーム出力に維持したりすることができる。前者を実現するには、カウンタ部５においてアラームの種類（グレード）とは無関係に総エッジ数をカウントすればよく、後者を実現するには、カウンタ部５においてアラームの種類毎にそれぞれのエッジ数をカウントできるようにすればよい。なお、上記の固定的なアラーム出力は、上記監視周期内の検出エッジ数が閾値未満になると解除される。
【００６０】
つまり、上記のＴ秒タイマ４及びカウンタ部５は、上記の保護回路３−１及び３−２からの上記監視周期内の総エッジ数（総アラーム出力回数）を計数し、その監視周期内の総エッジ数が所定の閾値以上であると、上記の各グレードのアラーム出力のいずれか一方を、その後に計数される監視周期内の総エッジ数が上記閾値未満になるまで固定的に出力するアラーム出力制御部としての機能を果たすのである。なお、本機能はソフトウェアにより実現される。
【００６１】
これにより、所定の監視周期内にグレードの低いアラーム状態とグレードの高いアラーム状態との間の状態遷移が所定回数以上頻繁に生じるような場合には、アラーム出力を各グレードのいずれか一方についてのアラーム出力に維持（固定）することで、かかる状態遷移により多発するアラーム出力連続切替（これを、以下、不連続動作という）を防止して、不要なＡＰＳ切替トリガの発生をさらに抑制できる。
【００６２】
そして、ＰＣ部６は、上記のカウンタ部５の出力（アラーム検出／解除情報）を受けて、その情報を外部（例えば、システム保守用の保守端末（図示省略）や、図７及び図８に示すＡＰＳ部（選択受信部）１１３〜１１５にＡＰＳ切替トリガとして）供給するものである。
以下、上述のごとく構成された本実施形態のアラーム監視装置１の動作について、図２及び図３に示すタイムチャートを参照しながら詳述する。
【００６３】
まず、アラーム検出／解除回路部２−１，２−２及び保護回路３−１，３−２に着目した動作について図２を参照しながら詳述する。
図２に示すように、時点Ｔ１〜Ｔ２の間はグレードの低いアラーム状態が継続し、時点Ｔ２〜Ｔ３の間はグレードの高いアラーム状態が継続し、時点Ｔ３〜Ｔ４までは再びグレードの低いアラーム状態が継続し、さらに、時点Ｔ４〜Ｔ５までは再びグレードの高いアラーム状態が継続し、時点Ｔ５〜Ｔ６までは再びグレードの低いアラーム状態が継続する場合を想定する。なお、図９と比較しやすように、本例においても、グレードの低いアラーム（アラーム検出／解除回路部２−１）の検出時間を４ｍｓ，解除時間を１ｍｓとし、グレードの高いアラーム（アラーム検出／解除回路部２−２）の検出時間を２ｍｓ，解除時間を３ｍｓと仮定する。
【００６４】
この場合、まず、アラーム監視装置１では、時点Ｔ１において、グレードの低いアラームについてのアラーム検出／解除回路部２−１の検出回路２１ａにて受信信号のグレードの低いアラーム状態が検出され、かかる検出状態が検出時間（４ｍｓ）継続する（時点Ｔ１１参照）ことにより、出力部２２ａからアラーム（Ｈレベル）が出力される。
【００６５】
その後、時点Ｔ２でグレードの低いアラーム状態がグレードの高いアラーム状態へ遷移するので、検出回路２１ａではグレードの低いアラーム状態が検出されず、かかる非検出状態が解除時間（１ｍｓ）継続することにより、出力部２２ａによるアラーム出力が解除回路２３ａによって解除（停止）される（時点Ｔ２１参照）。
【００６６】
しかし、このとき、既に他方のアラーム検出／解除回路部２−２の検出回路２１ｂでグレードの高いアラーム状態が検出されているので、保護回路３−１のＯＲゲート３１ａの出力はＨレベルのままとなる（つまり、保護回路３−１のＯＲゲート３３ａの一方の入力はＬレベルのままである）。
一方、このとき、アラーム検出／解除回路部２−２では、上記のグレードの高いアラーム状態の検出からその検出状態が検出時間（２ｍｓ）継続しなければ、出力部２２ｂからアラーム出力されないので（Ｌレベルのままなので）、保護回路３−１のＯＲゲート３３ａの２入力がともにＬレベルとなり、この結果、グレードの高いアラームについての検出回路２１ｂでのアラーム検出状態が検出時間（２ｍｓ）継続して出力部２２ｂからアラーム出力される（ＯＲゲート３３ａの他方の入力がＨレベルとなる；時点Ｔ３参照）まで、インバータ３４ａによりカウンタ部５へのアラーム出力が維持される。
【００６７】
これにより、図２中に▲２▼で示す箇所に従来生じていたノーアラーム状態の発生が防止される。
さらに、その後、時点Ｔ３で受信信号のアラーム状態がグレードの高いアラーム状態からグレードの低いアラーム状態へ遷移すると、グレードの高いアラームについての検出回路２１ｂでアラーム状態が検出されなくなるので、その時点Ｔ３からかかる非検出状態が解除時間（３ｍｓ）継続すると、解除回路２３ｂによって出力部２３ｂによるグレードの高いアラーム出力が解除される（時点Ｔ３１参照）。
【００６８】
しかし、このとき、既に他方のアラーム検出／解除回路部２−１の検出回路２１ａでグレードの低いアラーム状態が検出されているので、保護回路３−２のＯＲゲート３１ｂの出力はＨレベルのままとなる（つまり、保護回路３−２のＯＲゲート３３ｂの一方の入力はＬレベルのままである）。
また、このとき、アラーム検出／解除回路部２−１では、上記のグレードの低いアラーム状態の検出からその検出状態が検出時間（４ｍｓ）継続しなければ、出力部２２ａからアラーム出力されないので（Ｌレベルのままなので）、保護回路３−２のＯＲゲート３３ｂの２入力がともにＬレベルとなり、この結果、グレードの低いアラームについての検出回路２１ａでのアラーム検出状態が検出時間（４ｍｓ）継続して出力部２２ａからアラーム出力される（ＯＲゲート３３ｂの他方の入力がＨレベルとなる；時点Ｔ３２参照）まで、インバータ３４ｂによりカウンタ部５へのアラーム出力が維持される。
【００６９】
これにより、図２中に▲１▼で示す箇所に従来生じていたノーアラーム状態の発生が防止される。
以降の時点Ｔ４，Ｔ５における状態遷移についても、上記と同様の動作により、一方のグレードのアラームについてのアラーム出力が解除されても、他方のグレードのアラーム状態が検出されている限り、他方のグレードのアラーム出力があるまで、その一方のグレードのアラーム出力を維持することにより、図２中に▲１▼及びで示す箇所に従来生じていたノーアラーム状態の発生を防止することができる。
【００７０】
以上の結果、図２と図９とを比較しても判るように、不要なＡＰＳ切替トリガの発生が防止されて、連続するアラーム状態遷移発生時のＡＰＳ切替トリガの発生数を削減することができる。以上のように、ＯＲゲート３１ａ，３１ｂ，３３ａ，３３ｂと、インバータ３２ａ，３２ｂ，３４ａ，３４ｂとを組み合わせた簡単な回路構成で、本来発生すべきでないノーアラーム状態の発生、ひいては、不要なＡＰＳ切替トリガの発生を防止できる保護回路３−１，３−２を実現することができる。
【００７１】
なお、グレードの低いアラーム状態のみが発生している場合は、図１に示す構成において、保護回路３−１内のＯＲゲート３１ａ，３３ａにおいてそれぞれ他方の入力としてグレードの高い側から取り込んでいる出力レベルが常にＬレベルなので、グレードの低いアラーム状態のみに依存したレベル（Ｈレベル又はＬレベル）が、保護回路３−１から出力されることになる。
【００７２】
逆に、グレードの高いアラームのみが発生している場合は、保護回路３−２内のＯＲゲート３１ｂ，３３ｂにおいてそれぞれ他方の入力としてグレードの低い側から取り込んでいる出力レベルが常にＬレベルなので、グレードの高い側のアラーム状態のみに依存したレベル(Ｈレベル又はＬレベル)が、保護回路３−２から出力されることになる。
【００７３】
次に、Ｔ秒タイマ４及びカウンタ部５に着目した動作について、図３を参照しながら詳述する。なお、この図３において、（ａ）の部分が図２の（ａ）の部分に対応している。
まず、保護回路３−１及び保護回路３−２の出力は、それぞれ、Ｔ秒タイマ４及びエッジｎ回カウンタ部５に入力される。Ｔ秒タイマ４は、最初に入力されたエッジで、タイマスタートし、Ｔ秒（ここでは、７ｍｓ）周期で監視周期を規定する監視トリガ１１をカウンタ部５に供給する〔図３の（ｂ）参照〕。エッジｎ回カウンタ部５では、このＴ秒タイマ４と連動して、上記の監視周期（７ｍｓ）内に保護回路３−１側及び保護回路３−２側から出力されるエッジ（↑）をカウントし、そのカウント結果をＰＣ部６へ出力する。
【００７４】
この際、カウンタ部５は、例えば、異なるグレード毎にエッジ数をそれぞれ検出するとともに、それらの総エッジ数（ｎ）を検出し、その監視周期（７ｍｓ）内の総エッジ数ｎが閾値（例えば、２）以上であれば、図３の（ｃ）に示すように、次の監視トリガ１１以降、検出エッジ数の少ない方（この場合は、グレードの高い方）のアラーム出力を保持（維持）する（結果的に、時点Ｔ３からグレードの高い方のアラーム出力に維持される）。なお、ｎ＝２未満のカウントアップの場合は、カウンタ部５は前状態を出力する。
【００７５】
その後、かかる保持状態にて、監視周期（７ｍｓ）内の検出エッジ数ｎが１回以下になると、カウンタ部５は、その監視周期終了時〔図３の（ｃ）の時点Ｔ７参照〕に、グレードの高い側のアラーム出力を解除する。
これにより、アラーム状態の状態遷移に応じて発生するＡＰＳ切替トリガ数が、エッジｎ回カウンタ部５での処理前の状態〔図２の（ｂ）参照〕に比してさらに少なくなることが判る。
【００７６】
なお、カウンタ部５は、上記とは逆に、監視周期（７ｍｓ）内の検出総エッジ数ｎが２以上であれば、図３の（ｄ）に示すように、時点Ｔ３２から検出エッジ数ｎの多い方〔この場合は、グレードの低い方（つまり、グレードの低いアラーム状態であることの方が多いことを意味する）〕のアラーム出力を保持（維持）するようにしてもよい。この場合も、ＡＰＳ切替トリガ数が、エッジｎ回カウンタ部５での処理前の状態〔図２の（ｂ）参照〕に比して少なくなることが判る。
【００７７】
また、上記のように個々のグレードの検出エッジ数を考慮することなく、単純に、監視周期（７ｍｓ）内の総エッジ数が２回以上であれば、いずれか一方のグレードについてのアラーム出力に固定するようにしてもよい。この場合も、上記と同様に、アラーム状態の状態遷移に応じて発生するＡＰＳ切替トリガ数を、エッジｎ回カウンタ部５での処理前の状態に比して少なくできる。
【００７８】
以上のように、上述したアラーム監視装置１によれば、保護回路３−１及び３−２をそなえることで、異なるグレード間のアラーム検出状態の状態遷移時において、各グレードのアラーム検出時間及びアラーム解除時間の設定によって、いずれかのグレードのアラームが検出されているにも関わらずアラーム出力されないという不都合（ノーアラーム状態）が発生することを回避することができる。
【００７９】
したがって、ＡＰＳ部１１３〜１１５（図７参照）に対する不要なＡＰＳ切替トリガの発生を防止することができ、これらのＡＰＳ部１１３〜１１５での不要な切替動作の発生を防止してそれぞれの処理負荷を軽減することができる。
しかも、上記の保護回路３−１及び３−２は、いずれも、ＯＲゲートとインバータとの組み合わせにより実現できるので、極めて簡素な構成で、上記ノーアラーム状態の発生を防止することができる。
【００８０】
また、上記のＴ秒タイマ４及びカウンタ部５をそなえることで、異なるグレード間のアラーム検出状態の状態遷移が短時間に多発した場合でも、その実際の状態遷移に関わらず、アラーム出力をいずれか一方のグレードに強制的に固定して、不連続動作（アラーム出力連続切替）を回避する（連続動作に変換する）ので、さらに不要なＡＰＳ切替トリガの発生を防止して、より一層のＡＰＳ部１１３〜１１５の処理負荷軽減を図ることができる。
【００８１】
（Ｂ）具体例の説明
上述した例は受信信号についてのアラーム状態のグレードが２種類の場合であるが、以下では、前述したように、グレードがＳＯＮＥＴで規定されている「BER-SD(-6)」，「BER-SF(-3)」，「LOF」及び「LOS」の合計４種類存在する場合について説明する。なお、これら４種類のアラームのグレードは「BER-SD(-6)」＜「BER-SF(-3)」＜「LOF」＜「LOS」である。
【００８２】
図４が上記４種類のグレードのアラーム状態に対応したアラーム監視装置１の構成を示すブロック図で、この図４に示すように、本アラーム監視装置１は、上記４種類のグレードのアラーム状態に対応して、BER-SD(-6)アラーム検出／解除回路部２−１，BER-SF(-3)アラーム検出／解除回路部２−２，LOFアラーム検出／解除回路部２−３及びLOSアラーム検出／解除回路部２−４をそなえるとともに、保護回路３−１〜３−６，Ｔ秒タイマ４−１〜４−３，エッジｎ回カウンタ部５−１〜５−３及びＰＣ部６をそなえて構成されている。
【００８３】
つまり、この図４と図１と比較すれば判るように、上記のBER-SD(-6)アラーム検出／解除回路部２−１が、図１に示すグレードの低いアラームについてのアラーム検出／解除回路部２−１に相当し、BER-SF(-3)アラーム検出／解除回路部２−２が、図１に示すグレードの高いアラームについてのアラーム検出／解除回路部２−２に相当しており、残り２種類のグレードのアラームのために、LOFアラーム検出／解除回路部２−３及びLOSアラーム検出／解除回路部２−４が追加されている。
【００８４】
なお、LOFアラーム検出／解除回路部２−３及びLOSアラーム検出／解除回路部２−４は、図４中に示すように、それぞれ、その基本構成はBER-SD(-6)アラーム検出／解除回路部２−１又はBER-SF(-3)アラーム検出／解除回路部２−２と同様であり、LOFアラーム検出／解除回路部２−３は、検出回路２１ｃ，出力部２２ｃ及び解除回路２３ｃをそなえて構成され、LOSアラーム検出／解除回路部２−４は、検出回路２１ｃ，出力部２２ｃ及び解除回路２３ｃをそなえて構成されている。
【００８５】
また、保護回路３−１，３−２の構成も図１に示すものと同様であり、Ｔ秒タイマ４−１は図１に示すＴ秒タイマ４に相当し、エッジｎ回カウンタ部５−１は図１に示すエッジｎ回カウンタ部５に相当する。そして、上記のようにLOFアラーム検出／解除回路部２−３が追加になる場合は、「LOF」よりもグレードの１つ低い「BER-SF(-3)」のアラーム出力状態（保護回路３−２の出力）を保持するために、保護回路３−３が保護回路３−２の後段に追加され、「LOF」のアラーム出力状態（LOFアラーム検出／解除回路部２−３の出力）を保持するために、保護回路３−４が追加されている。
【００８６】
同様に、LOSアラーム検出／解除回路部２−４が追加になることにより、「LOS」よりもグレードの１つ低い「LOF」のアラーム出力状態を保持するために、保護回路３−５が保護回路３−４の後段に追加され、「LOS」のアラーム出力状態（LOSアラーム検出／解除回路部２−４の出力）を保持するために、保護回路３−６が追加されている。
【００８７】
このため、保護回路３−３〜３−６は、それぞれ、図４に示すように、ＯＲゲート３１ｃ〜３１ｆ，インバータ３２ｃ〜３２ｆ，ＯＲゲート３３ｃ〜３３ｆ及びインバータ３４ｃ〜３４ｆをそなえて構成されており、保護回路３−３は、保護回路３−２の出力と、グレードの１つ低い側のLOFアラーム検出／解除回路部２−３の検出回路２１ｃの出力とをＯＲゲート３１ｃの入力とするともに、そのLOFアラーム検出／解除回路部２−３における出力部２２ｃの出力をＯＲゲート３３ｃの他方の入力としている。
【００８８】
また、保護回路３−４は、「LOF」に対してグレードの１つ低い側のBER-SF(-3)アラーム検出／解除回路部２−２における検出回路２１ｂの出力と、LOFアラーム検出／解除回路部２−３における出力部２２ｃの出力とをＯＲゲート３１ｄの入力とするとともに、グレードの１つ低い側のBER-SF(-3)アラーム検出／解除回路部２−２における出力部２２ｂの出力をＯＲゲート３３ｄの他方の入力としている。
【００８９】
さらに、保護回路３−５は、上記の保護回路３−４（インバータ３４ｄ）の出力と、LOSアラーム検出／解除回路部２−４における検出回路２１ｄの出力とをＯＲゲート３１ｅの入力とするとともに、LOSアラーム検出／解除回路部２−４における出力部２２ｄの出力をＯＲゲート３３ｅの他方の入力としており、保護回路３−６は、LOSよりも１つグレードの低い側のLOFアラーム検出／解除回路部２−３における検出回路２１ｃの出力と、LOSアラーム検出／解除回路部２−４における出力部２２ｄの出力とをＯＲゲート３１ｆの入力とするとともに、LOFアラーム検出／解除回路部２−３における出力部２２ｃの出力をＯＲゲート３３ｆの他方の入力としている。
【００９０】
また、Ｔ秒タイマ４−１は、保護回路３−１又は３−３の出力（エッジ）の入力により監視周期をスタートするようになっており、エッジｎ回カウンタ部５−１は、このＴ秒タイマ４−１と連動して、監視周期内の保護回路３−１及び３−３の出力のエッジ数を計数して、その計数結果が閾値以上であれば、「BER-SD(-6)」及び「BER-SF(-3)」のいずれか一方についてのアラーム出力を保持するようになっている。
【００９１】
さらに、Ｔ秒タイマ４−２は、カウンタ部５−１のグレードの高い側の出力又は保護回路３−５の出力（さらにグレードの１つ高い「LOF」のアラーム出力）の入力により監視周期をスタートさせるようになっており、エッジｎ回カウンタ部５−２は、このＴ秒タイマ４−２と連動して、これらのカウンタ部５−１のグレードの高い側の出力及び保護回路３−５の出力の監視周期内のエッジ数を計数して、その計数結果が閾値以上であれば、「BER-SF(-3)」及び「LOF」のいずれか一方についてのアラーム出力を保持するようになっている。
【００９２】
同様に、Ｔ秒タイマ４−３は、カウンタ部５−２のグレードの高い側の出力又は保護回路３−６の出力（さらにグレードの１つ高い「LOS」のアラーム出力）の入力により監視周期をスタートさせるようになっており、エッジｎ回カウンタ部５−３は、このＴ秒タイマ４−３と連動して、これらのカウンタ部５−２のグレードの高い側の出力及び保護回路３−６の出力の監視周期内のエッジ数を計数して、その計数結果が閾値以上であれば、「LOF」及び「LOS」のいずれか一方についてのアラーム出力を保持するようになっている。
【００９３】
つまり、上記のＴ秒タイマ４−ｉ（ｉ＝１〜３）とカウンタ部５−ｉとの組は、それぞれ、前記のアラーム出力制御部を構成する図１に示すＴ秒タイマ４とカウンタ部５との組に相当し、本アラーム監視装置は、この組が異なるグレードのアラーム間のそれぞれについて設けられた構成になっているのである。
以上のような構成により、「BER-SD(-6)」と「BER-SF(-3)」との間、「BER-SF(-3)」と「LOF」との間、及び、「LOF」と「LOS」との間という、複数の異なるグレード間での連続的なアラーム状態遷移が生じた場合でも、それぞれ、前述したノーアラーム状態の発生防止と、ＡＰＳ切替トリガ数の削減とを図ることができる。
【００９４】
以下、かかるアラーム監視装置１の動作について、図５に示すタイムチャートを参照しながら詳述する。なお、以下においても、上記４種類のアラームの検出時間及び解除時間は前記の表１に示すように規定されているものとする。
まず、図５に示すように、受信信号のアラーム状態が、時点Ｔ１〜Ｔ２の間は最もグレードの低い「BER-SD(-6)」、時点Ｔ２〜Ｔ３の間はグレードの１つ高い「BER-SF(-3)」、時点Ｔ３〜Ｔ４の間は再び「BER-SD(-6)」、時点Ｔ４〜Ｔ５の間は再び「BER-SF(-3)」、時点Ｔ５〜Ｔ６の間は再び「BER-SD(-6)」とそれぞれグレードの低い「BER-SD(-6)」とグレードの高い「BER-SF(-3)」との間で繰り返し状態遷移する場合を考える。
【００９５】
この場合は、LOFアラーム状態が検出されないので、LOFアラーム検出／解除回路部２−３の検出回路２１ｃ及び出力部２２ｃからの出力は無い（Ｌレベルである）。したがって、保護回路３−３のＯＲゲート３１ｃ及び３３ｃへの出力が常にＬレベルとなっているので、カウンタ部５への入力は保護回路３−２の出力と同一になる。つまり、保護回路３−２の出力がＨレベルであれば保護回路３−３の出力もＨレベルとなり、逆に、保護回路３−２の出力がＬレベルであれば保護回路３−３の出力もＬレベルとなる。
【００９６】
したがって、BER-SD(-6)アラーム検出／解除回路部２−１，BER-SF(-3)アラーム検出／解除回路部２−２，保護回路３−１及び保護回路３−２（３−３）から成る部分の動作は、基本的に、図２により前述した動作と同等になる。つまり、この場合は、BER-SD(-6)アラーム検出／解除回路部２−１が前記第１のアラーム検出／解除部、BER-SF(-3)アラーム検出／解除回路部２−２が前記第２のアラーム検出／解除部に相当し、保護回路３−１〜３−３が、「BER-SD(-6)」と「BER-SF(-3)」という異なるグレードのアラーム状態間について設けられた前記アラーム出力保護部として機能し、保護回路３−１が前記第１保護回路、保護回路３−２及び３−３が前記第２保護回路として機能するのである。
【００９７】
即ち、図５の（ａ）に示すように、時点Ｔ３及び時点Ｔ５でグレードの高い「BER-SF(-3)」からグレードの低い「BER-SD(-6)」へのアラーム状態遷移が生じ、「BER-SF(-3)」が解除時間（725 ms）継続して検出されないことにより、BER-SF(-3)アラーム検出／解除回路２−２の出力部２２ｂからのアラーム出力が解除されても、BER-SD(-6)アラーム検出／解除回路２−１の検出回路２１ａにて「BER-SD(-6)」が検出されているため、保護回路３−１のＯＲゲート３１ａの出力はＨレベルに維持され、その後に、「BER-SD(-6)」のアラーム検出時間（787.5 ms）が経過して、BER-SD(-6)アラーム検出／解除回路２−１の出力部２２ａからアラーム出力されるまでは、グレードの高い「BER-SF(-3)」についてのアラーム出力が維持される。
【００９８】
これにより、図５中に符号１２で示す部分に従来生じていた62.5 ms（＝787.5 ms−725 ms）のノーアラーム状態の発生が防止される。なお、この場合も、グレードの低い「BER-SD(-6)」のアラーム解除時間（78.75 ms）よりもグレードの高い「BER-SF(-3)」のアラーム検出時間（7.25 ms）の方が短いので、図５において、図２中に▲２▼で示す箇所に相当する箇所にノーアラーム状態は発生しない。
【００９９】
さて、上記の動作により、図５の（ｂ）に示すように、Ｔ秒カウンタ４−１は、最初に（時点Ｔ２において）保護回路３−１から入力されたエッジで、タイマスタートし、Ｔ秒（ここでは、７ｍｓ）周期で監視周期を規定する監視トリガ１１をカウンタ部５−１に供給し、カウンタ部５−１では、このＴ秒タイマ４−１と連動して、上記監視周期（７ｍｓ）内の保護回路３−１及び保護回路３−２（３−３）の出力エッジ（↑）をカウントする。
【０１００】
そして、カウンタ部５−１は、監視周期（７ｍｓ）内のカウント結果が閾値（＝２）以上であると、次の監視トリガ１１以降（時点Ｔ２２参照）、監視周期（７ｍｓ）内のカウント結果が閾値（＝２）未満になるまで（時点Ｔ１３１参照）、例えば、グレードの高い「BER-SF(-3)」についてのアラーム出力を保持（維持）する（この場合は、結果的に、時点Ｔ２１からグレードの高い「BER-SF(-3)」についてのアラーム出力が維持される）。
【０１０１】
つまり、カウンタ部５−１は、保護回路３−１からの「BER-SD(-6)」に対応したアラームと、保護回路３−３からの「BER-SF(-3)」に対応したアラームとを取り込み、Ｔ秒タイマ４−１と連動することで、「BER-SD(-6)」と「BER-SF(-3)」との間の短時間の連続的な状態遷移による頻繁なアラーム出力連続切替（これを、以下、不連続動作という）を防止して、いずれか一方のアラーム（上記の場合はグレードの高い「BER-SF(-3)」のアラーム）での「連続動作」を可能にしているのである。
【０１０２】
一方、このとき、時点Ｔ２１において、上記のカウンタ部５−１からＴ秒タイマ４−２及びカウンタ部５−２へそれぞれグレードの高い「BER-SF(-3)」についてのアラーム出力があるので、図５の（ｃ）に示すように、Ｔ秒タイマ４−２が、タイマスタートし、Ｔ秒（ここでは、７ｍｓ）周期で監視周期を規定する監視トリガ１５をカウンタ部５−２に供給し、カウンタ部５−２では、このＴ秒タイマ４−２と連動して、上記の監視周期（７ｍｓ）内にカウンタ部５−１のグレードの高い「BER-SF(-3)」側の出力及び保護回路３−５の出力エッジ（↑）をカウントする。
【０１０３】
ただし、この場合は、図５の（ｃ）に示すように、「BER-SF(-3)」側の出力がＨレベルに固定されており、「LOF」も検出されていないので、カウンタ部５−２でのカウント結果は、最初に時点Ｔ２１でカウンタ部５−１のグレードの高い「BER-SF(-3)」側の出力を受けた時のエッジ数（“１”）のままであり、この結果、カウンタ部５−２は、「BER-SF(-3)」についてのアラーム出力を維持することになる（矢印１７参照）。
【０１０４】
さて、次に、受信信号のアラーム状態が、時点Ｔ６〜Ｔ７の間は再び「BER-SF(-3)」、時点Ｔ７〜Ｔ８の間はさらにグレードの１つ高い「LOF」、時点Ｔ８〜Ｔ９の間は再び１つグレードの低い「BER-SF(-3)」、時点Ｔ９〜Ｔ１０の間は再び１つグレードの高い「LOF」、時点１０〜Ｔ１１の間は再び１つグレードの低い「BER-SF(-3)」、時点Ｔ１１〜Ｔ１２の間は再び１つグレードの高い「LOF」とそれぞれ遷移したとする。
【０１０５】
この場合は、BER-SD(-6)のアラーム状態が無いので、BER-SD(-6)アラーム検出／解除回路部２−１の検出回路２１ａでアラーム状態は検出されない。したがって、保護回路３−２のＯＲゲート３１ｂ及び３３ｂの一方の入力は常にＬレベルとなり、保護回路３−２の出力はBER-SF(-3)アラーム検出／解除回路部２−２の出力（Ｈレベル／Ｌレベル）と同一になる。
【０１０６】
この結果、上記の状態遷移の繰り返しにおいては、BER-SF(-3)アラーム検出／解除回路部２−２，LOFアラーム検出／解除回路部２−３，保護回路３−２（３−３）及び保護回路３−４から成る部分の動作が、基本的に、図２により前述した動作と同等になる。つまり、この場合は、BER-SF(-3)アラーム検出／解除回路部２−２が前記第１のアラーム検出／解除部、LOFアラーム検出／解除回路部２−３が前記第２のアラーム検出／解除部に相当し、保護回路３−２〜３−４が、「BER-SF(-3)」と「LOF」という異なるグレードのアラーム状態間について設けられた前記アラーム出力保護部として機能し、保護回路３−２（３−３）が前記第１保護回路、保護回路３−４が前記第２保護回路として機能するのである。
【０１０７】
即ち、図５の（ａ）に示すように、時点Ｔ８及び時点Ｔ１０でグレードの高い「LOF」からグレードの低い「BER-SF(-3)」へのアラーム状態遷移が生じ、「LOF」が解除時間（250 μｓ）継続して検出されないことにより、LOFアラーム検出／解除回路２−３の出力部２２ｃからのアラーム出力が解除されても、BER-SF(-3)アラーム検出／解除回路２−２の検出回路２１ｂにて「BER-SF(-3)」が検出されているため、保護回路３−４のＯＲゲート３１ｄの出力がＨレベルに維持され、その後に、「BER-SF(-3)」のアラーム検出時間（7.25 ms）が経過して、BER-SF(-3)アラーム検出／解除回路２−２の出力部２２ｂからアラーム出力されるまでは、グレードの高い「LOF」についてのアラーム出力が維持される。
【０１０８】
これにより、図５中に符号１３で示す部分に従来生じていた7 ms（＝7.25 ms−250 μｓ(＝0.25 ms)）のノーアラーム状態の発生が防止される。なお、この場合も、グレードの低い「BER-SF(-3)」のアラーム解除時間（725 ms）よりもグレードの高い「LOF」のアラーム検出時間（OOFの3 ms）の方が短いので、図５の（ａ）において、図２中に▲２▼で示す箇所に相当する箇所にノーアラーム状態は発生しない。
【０１０９】
さて、上記の動作により、図５の（ｃ）に示すように、Ｔ秒カウンタ４−２では、時点Ｔ８において「LOF」アラームがLOFアラーム検出／解除回路部２−３の出力部２２ｃから出力されることにより保護回路３−５から入力されたエッジで、再度、タイマスタートし、監視トリガ１５をカウンタ部５−２に供給し、カウンタ部５−２では、このＴ秒タイマ４−２と連動して、上記監視周期（７ｍｓ）内のカウンタ部５−１のグレードの高い側及び保護回路３−５の出力エッジ（↑）をカウントする。
【０１１０】
ここで、カウンタ部５−２は、上記の時点Ｔ８までは、前述したように、「BER-SF(-3)」についてのアラーム出力を維持（前状態保持）している（矢印１７参照）が、上述のごとくグレードの高い「LOF」についてのアラーム出力があることで、一旦、「BER-SF(-3)」についてのアラーム出力を解除し、グレードの高い「LOF」についてのアラーム出力を行なう（矢印１８参照）。
【０１１１】
その後、再び、１つグレードの低い「BER-SF(-3)」がBER-SF(-3)アラーム検出／解除回路部２−２において検出され当該「BER-SF(-3)」についてのアラーム出力があると（時点Ｔ８１参照）、カウンタ部５−２は、再度、グレードの低い「BER-SF(-3)」についてのアラーム出力を行なう一方、グレードの高い「LOF」についてのアラーム出力を解除する（矢印１９参照）。
【０１１２】
さらに、その後、再び、１つグレードの高い「LOF」がLOFアラーム検出／解除回路部２−３において検出され当該「LOF」についてのアラーム出力があると（時点Ｔ１０参照）、カウンタ部５−２は、再度、グレードの高い「LOF」についてのアラーム出力を行なう一方、グレードの低い「BER-SF(-3)」についてのアラーム出力を解除する（矢印２０参照）。
【０１１３】
ここで、この時点で、既に、監視周期（７ｍｓ）内の検出エッジ数が閾値（＝２）となっているので、カウンタ部５−２は、次の監視トリガ１５以降、アラーム状態遷移が生じていても、監視周期（７ｍｓ）内の検出エッジ数が閾値（＝２）未満になるまで（時点Ｔ１７参照）、上記のような異なるグレード間のアラーム出力の切り替えは行なわずに、例えば、「LOF」についてのアラーム出力を維持する（「BER-SF(-3)」についてのアラーム出力は解除のままに維持；矢印４１参照）。
【０１１４】
つまり、カウンタ部５−２は、保護回路３−３からカウンタ部５−１を介した「BER-SF(-3)」に対応したアラームと、保護回路３−５からの「LOF」に対応したアラームとを取り込み、Ｔ秒タイマ４−２と連動することで、「BER-SF(-3)」と「LOF」との間の短時間の連続的な状態遷移時における不連続動作を防止して、いずれか一方のアラーム（上記の場合はグレードの高い「LOF」のアラーム）での「連続動作」を可能にしているのである。
【０１１５】
一方、上記の動作において、カウンタ部５−２が最初に「LOF」についてのアラーム出力を行なった時点（矢印１８参照）、図５の（ｄ）に示すように、Ｔ秒タイマ４−３が、タイマスタートしており、Ｔ秒（ここでは、７ｍｓ）周期で監視周期を規定する監視トリガ１６をカウンタ部５−３に供給し、カウンタ部５−３では、このＴ秒タイマ４−３と連動して、上記の監視周期（７ｍｓ）内にカウンタ部５−２のグレードの高い「LOF」側の出力及び保護回路３−６の出力エッジ（↑）をカウントする。
【０１１６】
この場合は、図５の（ｄ）に示すように、監視周期（７ｍｓ）内の検出エッジ数が２となるが、このときには、既に、カウンタ部５−２が「LOF」についてのアラーム出力を維持しており、グレードの１つ高い「LOS」も検出されていないので、カウンタ部５−３は、そのまま「LOF」についてのアラーム出力を維持する（前状態保持；矢印４２参照）。
【０１１７】
さて、次に、図５の（ａ）に示すように、受信信号のアラーム状態が、時点Ｔ１２において「LOF」からさらに１つグレードの高い「LOS」に遷移し、時点Ｔ１３において再びグレードの１つ低い「LOF」に遷移し、時点Ｔ１４において再び１つグレードの高い「LOS」に遷移し、時点Ｔ１５において再びグレードの低い「LOF」に遷移し、時点Ｔ１６において再び１つグレードの高い「LOS」に遷移したとする。
【０１１８】
この場合は、BER-SF(-3)のアラーム状態が無いので、BER-SF(-3)アラーム検出／解除回路部２−２の検出回路２１ｂでアラーム状態は検出されない。したがって、保護回路３−４のＯＲゲート３１ｄ及び３３ｄの一方の入力は常にＬレベルとなり、保護回路３−４の出力はLOFアラーム検出／解除回路部２−３の出力（Ｈレベル／Ｌレベル）と同一になる。
【０１１９】
この結果、上記の状態遷移の繰り返しにおいては、LOFアラーム検出／解除回路部２−３，LOSアラーム検出／解除回路部２−４，保護回路３−４（３−５）及び保護回路３−６から成る部分の動作が、基本的に、図２により前述した動作と同等になる。つまり、この場合は、LOFアラーム検出／解除回路部２−３が前記第１のアラーム検出／解除部、LOSアラーム検出／解除回路部２−４が前記第２のアラーム検出／解除部に相当し、保護回路３−４〜３−６が、「LOF」と「LOS」という異なるグレードのアラーム状態間について設けられた前記アラーム出力保護部として機能し、保護回路３−４及び３−５が前記第１保護回路、保護回路３−６が前記第２保護回路として機能するのである。
【０１２０】
即ち、図５の（ａ）に示すように、時点Ｔ１３及び時点Ｔ１５でグレードの高い「LOS」からグレードの低い「LOF」へのアラーム状態遷移が生じ、「LOS」が解除時間（100 μｓ）継続して検出されないことにより、LOSアラーム検出／解除回路２−４の出力部２２ｄからのアラーム出力が解除されても、LOFアラーム検出／解除回路２−３の検出回路２１ｃにて「LOF」が検出されているため、保護回路３−６のＯＲゲート３１ｆの出力がＨレベルに維持され、その後に、「LOF」のアラーム検出時間（OOFの3 ms）が経過して、LOFアラーム検出／解除回路２−３の出力部２２ｃからアラーム出力されるまでは、グレードの高い「LOS」についてのアラーム出力が維持される。
【０１２１】
これにより、図５中に符号１４で示す部分に従来生じていた2.9 ms（＝3 ms−100 μｓ(＝0.1 ms)）のノーアラーム状態の発生が防止される。なお、この場合も、グレードの低い「LOF」のアラーム解除時間（250 ms）よりもグレードの高い「LOS」のアラーム検出時間（12.5 μｓ）の方が短いので、図５の（ａ）において、図２中に▲２▼で示す箇所に相当する箇所にノーアラーム状態は発生しない。
【０１２２】
さて、一方、上記の動作により、図５の（ｄ）に示すように、Ｔ秒カウンタ４−３では、時点Ｔ１３０において「LOS」アラームがLOSアラーム検出／解除回路部２−４の出力部２２ｄから出力されることにより保護回路３−６から入力されたエッジで、再度、タイマスタートし、監視トリガ１６をカウンタ部５−３に供給する。これにより、カウンタ部５−３では、このＴ秒タイマ４−３と連動して、上記監視周期（７ｍｓ）内のカウンタ部５−２のグレードの高い側及び保護回路３−６の出力エッジ（↑）をカウントする。
【０１２３】
ここで、カウンタ部５−２は、上記の時点Ｔ１３０までは、前述したように、「LOF」についてのアラーム出力を維持（前状態保持）している（矢印４２参照）が、上述のごとくグレードの高い「LOS」についてのアラーム出力があることで、一旦、「LOF」についてのアラーム出力を解除し、グレードの高い「LOS」についてのアラーム出力を行なう（矢印４３参照）。
【０１２４】
その後、再び、１つグレードの低い「LOF」がLOFアラーム検出／解除回路部２−３において検出され当該「LOF」についてのアラーム出力があると（時点Ｔ１３１参照）、カウンタ部５−３は、再度、グレードの低い「LOF」についてのアラーム出力を行なう一方、グレードの高い「LOS」についてのアラーム出力を解除する（矢印４４参照）。
【０１２５】
さらに、その後、再び、１つグレードの高い「LOS」がLOSアラーム検出／解除回路部２−４において検出され当該「LOS」についてのアラーム出力があると（図５の（ａ）の時点Ｔ１４１参照）、カウンタ部５−３は、再度、グレードの高い「LOS」についてのアラーム出力を行なう一方、グレードの低い「LOF」についてのアラーム出力を解除する（矢印４５参照）。
【０１２６】
ここで、この時点で、既に、監視周期（７ｍｓ）内の検出エッジ数が閾値（＝２）となっているので、カウンタ部５−３は、次の監視トリガ１６以降、アラーム状態遷移が生じていても、監視周期（７ｍｓ）内の検出エッジ数が閾値（＝２）未満になるまで（時点Ｔ１７参照）、上記のような異なるグレード間のアラーム出力の切り替えは行なわずに、例えば、グレードの高い「LOS」についてのアラーム出力を維持する（「LOF」についてのアラーム出力は解除のままに維持；矢印４６参照）。
【０１２７】
つまり、カウンタ部５−３は、保護回路３−５からカウンタ部５−２を介した「LOF」に対応したアラームと、保護回路３−６からの「LOS」に対応したアラームとを取り込み、Ｔ秒タイマ４−３と連動することで、「LOF」と「LOS」との間の短時間の連続的な状態遷移時における不連続動作を防止して、いずれか一方のアラーム（上記の場合はグレードの高い「LOS」のアラーム）での「連続動作」を可能にしているのである。
【０１２８】
以上のようにして、各カウンタ部５−１〜５−３が、それぞれに対応するＴ秒タイマ４−１〜４−３による監視周期内２回未満のカウントアップの場合は、前状態を出力し、２回以上のカウントアップの時に、グレードの高い（又は低い）側のアラーム出力を維持し、かかる維持状態において、監視周期内の検出エッジ数が２回未満の時に、維持していたアラーム出力を解除することにより、図５の（ｅ）に示すように、図１０に示す従来の場合に比して、ＡＰＳ切替トリガの発生数を大幅に削減できることが判る。
【０１２９】
（Ｃ）その他
なお、上記の具体例では、いずれのアラームについても、グレードの高いアラーム状態の検出時間が、グレードの低いアラーム状態の解除時間よりも短いため、図２中に▲２▼で示す箇所に相当する箇所にノーアラーム状態は発生していないが、逆に、グレードの高いアラーム状態の検出時間が、グレードの低いアラーム状態の解除時間よりも長い場合でも、図４に示す構成により、上記と同様に、ノーアラーム状態の発生防止とＡＰＳ切替トリガの発生数の削減とを図ることができる。
【０１３０】
また、上記の具体例では、監視周期（７ｍｓ）内の検出エッジ数が２以上のときに、原則として、グレードの高い側のアラーム出力を維持するようにしているが、勿論、項目（Ａ）の基本実施形態にて前述したように、低い側のアラーム出力を維持するようにしてもよいし、各グレードのアラーム状態毎の検出エッジ数の大小によって、検出エッジ数の大きい又小さい方のアラーム出力を維持するようにしてもよい。
【０１３１】
さらに、上記の監視周期（７ｍｓ）や当該監視周期内の検出エッジ数についての閾値は、勿論、必要に応じて適宜変更してもよい。
また、上述した実施形態では、いずれも、図２中に▲１▼及び▲２▼で示す箇所に発生するノーアラーム状態の双方を防止できる構成（第１保護回路及び第２保護回路の双方をそなえる構成）になっているが、いずれか一方のノーアラーム状態のみを防止する構成（第１保護回路及び第２保護回路のいずれか一方のみをそなえる構成）にしてもよい。
【０１３２】
さらに、上述した実施形態では、アラーム監視装置１をＳＯＮＥＴ伝送装置に適用した例について説明したが、受信信号について異なる複数種類のグレードのアラーム状態が発生し、それぞれのアラーム検出時間及び解除時間の設定いかんによって不要なノーアラーム状態が発生しうる装置であれば、上記と同様に適用することができる。
【０１３３】
（Ｄ）付記
（付記１）  受信信号のアラーム状態を監視するアラーム監視装置であって、該受信信号についての第１のグレードのアラーム検出状態が第１のアラーム検出時間継続するとアラーム出力し、該第１のグレードのアラーム非検出状態が第１のアラーム解除時間継続すると当該アラーム出力を解除する第１のアラーム検出／解除部と、
該受信信号についての第２のグレードのアラーム検出状態が第２のアラーム検出時間継続するとアラーム出力し、該第２のグレードのアラーム非検出状態が第２のアラーム解除時間継続すると当該アラーム出力を解除する第２のアラーム検出／解除部と、
上記の各グレード間のアラーム検出状態の状態遷移に起因して、一方のアラーム検出／解除部での該アラーム解除時間の経過により一方のグレードのアラーム出力が解除されても、他方のアラーム検出／解除部がアラーム検出状態であると、当該他方のアラーム検出／解除部が該アラーム検出時間の経過によりアラーム出力するまで該一方のグレードについてのアラーム出力を維持するアラーム出力保護部とをそなえたことを特徴とする、アラーム監視装置。
【０１３４】
（付記２）  該アラーム出力保護部が、
該第１のアラーム検出／解除部での該第１のアラーム解除時間の経過により該第１のグレードについてのアラーム出力が解除されても、該第２のアラーム検出／解除部が該第２のグレードのアラーム検出状態であると、当該第２のアラーム検出／解除部が該第２のアラーム検出時間の経過によりアラーム出力するまで該第１のグレードについてのアラーム出力を維持する第１保護回路をそなえたことを特徴とする、付記１記載のアラーム監視装置。
【０１３５】
（付記３）  該アラーム出力保護部が、
該第２のアラーム検出／解除部での該第２のアラーム解除時間の経過により該第２のグレードについてのアラーム出力が解除されても、該第１のアラーム検出／解除部が該第１のグレードのアラーム検出状態であると、当該第１のアラーム検出／解除部が該第１のアラーム検出時間の経過によりアラーム出力するまで該第２のグレードについてのアラーム出力を維持する第２保護回路をそなえたことを特徴とする、付記１記載のアラーム監視装置。
【０１３６】
（付記４）  該アラーム出力保護部が、
該第１のアラーム検出／解除部での該第１のアラーム解除時間の経過により該第１のグレードについてのアラーム出力が解除されても、該第２のアラーム検出／解除部が該第２のグレードのアラーム検出状態であると、当該第２のアラーム検出／解除部が該第２のアラーム検出時間の経過によりアラーム出力するまで該第１のグレードについてのアラーム出力を維持する第１保護回路と、
該第２のアラーム検出／解除部での該第２のアラーム解除時間の経過により該第２のグレードについてのアラーム出力が解除されても、該第１のアラーム検出／解除部が該第１のグレードのアラーム検出状態であると、当該第１のアラーム検出／解除部が該第１のアラーム検出時間の経過によりアラーム出力するまで該第２のグレードについてのアラーム出力を維持する第２保護回路とをそなえたことを特徴とする、付記１記載のアラーム監視装置。
【０１３７】
（付記５）  該第１保護回路が、
該第１のアラーム検出／解除部のアラーム出力と該第２のアラーム検出／解除部でのアラーム検出信号とを論理和出力する第１論理和回路と、
該論理和回路の出力を反転出力する第１反転回路と、
該第１反転回路の出力と該第２のアラーム検出／解除部のアラーム出力とを論理和出力する第２論理和回路と、
該第２論理和回路の出力を反転出力する第２反転回路とをそなえて構成されたことを特徴とする、付記２又は付記４に記載のアラーム監視装置。
【０１３８】
（付記６）  該第２保護回路が、
該第２のアラーム検出／解除部のアラーム出力と該第１のアラーム検出／解除部でのアラーム検出信号とを論理和出力する第３論理和回路と、
該論理和回路の出力を反転出力する第３反転回路と、
該第３反転回路の出力と該第１のアラーム検出／解除部のアラーム出力とを論理和出力する第４論理和回路と、
該第４論理和回路の出力を反転出力する第４反転回路とをそなえて構成されたことを特徴とする、付記３又は付記４に記載のアラーム監視装置。
【０１３９】
（付記７）  該第１保護回路及び該第２保護回路からの一定周期内の総アラーム出力回数を計数し、該一定周期内の該総アラーム出力回数が所定回数以上であると、上記の各グレードのアラーム出力のいずれか一方を、その後に計数される一定周期内の総アラーム出力回数が該所定回数未満になるまで固定的に出力するアラーム出力制御部をさらにそなえたことを特徴とする、付記４〜６のいずれか１項に記載のアラーム監視装置。
【０１４０】
（付記８）  該アラーム出力制御部が、
該一定周期内の上記の各グレードのそれぞれについてのアラーム出力回数を計数し、それぞれのアラーム出力回数の比較結果により、上記の各グレードについてのアラーム出力のいずれか一方を固定的に出力するように構成されたことを特徴とする、付記７記載のアラーム監視装置。
【０１４１】
（付記９）  受信信号のアラーム状態を監視するアラーム監視装置であって、該受信信号についての異なるグレードの複数種類のアラームに応じて設けられ、それぞれ、アラーム検出状態が所定のアラーム検出時間継続するとアラーム出力し、アラーム非検出状態が所定のアラーム解除時間継続すると当該アラーム出力を解除する複数のアラーム検出／解除部をそなえるとともに、
上記の各グレード間のそれぞれについて、一方のグレードに対応するアラーム検出／解除部での該アラーム解除時間の経過により一方のグレードについてのアラーム出力が解除されても、他方のグレードに対応するアラーム検出／解除部がアラーム検出状態であると、当該他方のグレードに対応するアラーム検出／解除部が該アラーム検出時間の経過によりアラーム出力するまで、該一方のグレードについてのアラーム出力を維持するアラーム出力保護部が設けられたことを特徴とする、アラーム監視装置。
【０１４２】
（付記１０）  該アラーム出力保護部が、
グレードの高いアラームに対応するアラーム検出／解除部での該アラーム解除時間の経過により該グレードの高いアラーム出力が解除されても、該グレードの高いアラームよりもグレードの低いアラームに対応するアラーム検出／解除部がアラーム検出状態であると、当該グレードの低いアラームに対応するアラーム検出／解除部が該アラーム検出時間の経過によりアラーム出力するまで、該グレードの高いアラームについてのアラーム出力を維持する第１保護回路と、
グレードの低いアラームに対応するアラーム検出／解除部での該アラーム解除時間の経過により該グレードの低いアラーム出力が解除されても、該グレードの低いアラームよりもグレードの高いアラームに対応するアラーム検出／解除部がアラーム検出状態であると、当該グレードの高いアラームに対応するアラーム検出／解除部が該アラーム検出時間の経過によりアラーム出力するまで、該グレードの低いアラームについてのアラーム出力を維持する第２保護回路とをそなえたことを特徴とする、付記９記載のアラーム監視装置。
【０１４３】
（付記１１）  該第１保護回路及び該第２保護回路からの該一定周期内の総アラーム出力回数を計数し、該一定周期内の該総アラーム出力回数が所定回数以上であると、上記の各グレードのアラーム出力のいずれか一方を、その後に計数される一定周期内の総アラーム出力回数が該所定回数未満になるまで固定的に出力するアラーム出力制御部をさらにそなえたことを特徴とする、付記９又は付記１０に記載のアラーム監視装置。
【０１４４】
（付記１２）  リングネットワークに接続される伝送装置において、
二方向から受信する同一データのうち一方向のデータをアラーム情報に基づいて選択的に受信する選択受信部と、
該選択受信部での該データの選択基準とするアラーム情報を発生するアラーム監視部とをそなえるとともに、
該アラーム監視部が、
受信信号としての該一方向のデータについての第１のグレードのアラーム検出状態が第１のアラーム検出時間継続するとアラーム出力し、該第１のグレードのアラーム非検出状態が第１のアラーム解除時間継続すると当該アラーム出力を解除する第１のアラーム検出／解除部と、
該受信信号についての第２のグレードのアラーム検出状態が第２のアラーム検出時間継続するとアラーム出力し、該第２のグレードのアラーム非検出状態が第２のアラーム解除時間継続すると当該アラーム出力を解除する第２のアラーム検出／解除部と、
上記の各グレード間のアラーム検出状態の状態遷移に起因して、一方のアラーム検出／解除部での該アラーム解除時間の経過により一方のグレードのアラーム出力が解除されても、他方のアラーム検出／解除部がアラーム検出状態であると、当該他方のアラーム検出／解除部が該アラーム検出時間の経過によりアラーム出力するまで該一方のグレードについてのアラーム出力を維持するアラーム出力保護部とをそなえて構成されたことを特徴とする、伝送装置。
【０１４５】
（付記１３）  リングネットワークに接続される伝送装置において、
二方向から受信する同一データのうち一方向のデータをアラーム情報に基づいて選択的に受信する選択受信部と、
該選択受信部での該データの選択基準とするアラーム情報を発生するアラーム監視部とをそなえるとともに、
該アラーム監視部が、
受信信号としての該一方向のデータについての異なるグレードの複数種類のアラームに応じて設けられ、それぞれ、アラーム検出状態が所定のアラーム検出時間継続するとアラーム出力し、アラーム非検出状態が所定のアラーム解除時間継続すると当該アラーム出力を解除する複数のアラーム検出／解除部をそなえるとともに、
上記の各グレード間のそれぞれについて、一方のグレードに対応するアラーム検出／解除部での該アラーム解除時間の経過により一方のグレードについてのアラーム出力が解除されても、他方のグレードに対応するアラーム検出／解除部がアラーム検出状態であると、当該他方のグレードに対応するアラーム検出／解除部が該アラーム検出時間の経過によりアラーム出力するまで、該一方のグレードについてのアラーム出力を維持するアラーム出力保護部をそなえて構成されたことを特徴とする、伝送装置。
【０１４６】
【発明の効果】
以上詳述したように、本発明によれば、以下のような効果ないし利点が得られる。
(1)異なるグレード間のアラーム検出状態の状態遷移に起因して、一方のアラームのアラーム解除時間の経過によりアラーム出力が解除されても、他方のグレードのアラーム検出状態であると、そのグレードのアラーム検出時間の経過により他方のグレードのアラーム出力があるまで上記一方のグレードのアラーム出力を維持（アラーム出力保護）するので、いずれかのグレードのアラームが検出されているにも関わらず上記のアラーム検出時間及び解除時間の設定いかんによってアラーム出力されない事態（ノーアラーム状態）が発生することを回避することができ、不要なアラーム通知や本アラーム通知をトリガにして動作する装置の不要な動作を防止することができる。
【０１４７】
(2)また、上記のアラーム出力保護は、論理和回路と反転回路との組み合わせにより実現できるので、極めて簡素な構成で、上記ノーアラーム状態の発生を防止することができる。
(3)さらに、一定周期内の総アラーム出力回数が所定回数以上で、上記の各グレード間のアラーム検出状態の状態遷移が短期間に多発していると認められる場合には、実際のアラーム検出状態の状態遷移に関わらず、上記の各グレードのアラーム出力のいずれか一方を、その後に計数される一定周期内の総アラーム出力回数が所定回数未満になるまで固定的に出力することもできるので、より一層不要なアラーム通知や本アラーム通知をトリガにして動作する装置の不要な動作を防止することができる。
【０１４８】
(4)例えば、上記のアラーム通知を選択基準として二方向からの同一データを選択的に受信する、リングネットワークに接続される伝送装置において、上記ノーアラーム状態の発生を回避して、不要なデータ選択動作の発生を削減して、その選択動作負荷を軽減することができる。
【図面の簡単な説明】
【図１】本発明の基本実施形態を説明すべくアラーム監視装置の構成を示すブロック図である。
【図２】図１に示すアラーム監視装置の動作を説明するためのタイムチャートである。
【図３】図１に示すアラーム監視装置の動作を説明するためのタイムチャートである。
【図４】本実施形態に係るアラーム監視装置の具体例を示すブロック図である。
【図５】図４に示すアラーム監視装置の動作を説明するためのタイムチャートである。
【図６】ＳＤＨやＳＯＮＥＴに準拠した新同期網（リング網）の一例を示すブロック図である。
【図７】図６に示す伝送装置の構成を示すブロック図である。
【図８】図６に示す伝送装置の他の構成を示すブロック図である。
【図９】図７に示す伝送装置におけるアラーム監視装置の動作を説明するためのタイムチャートである。
【図１０】図８に示す伝送装置におけるアラーム監視装置の動作を説明するためのタイムチャートである。
【符号の説明】
１  アラーム監視装置（アラーム監視部）
２−１〜２−４  アラーム検出／解除回路部
３−１〜３−６  保護回路（アラーム出力保護部）
４，４−１〜４−３  Ｔ秒タイマ（アラーム出力制御部）
５，５−１〜５−３  エッジｎ回カウンタ部（アラーム出力制御部）
６  ＰＣ部
２１ａ〜２１ｄ  検出回路
２２ａ〜２２ｄ  出力部
２３ａ〜２３ｄ  解除回路
３１ａ〜３１ｆ，３３ａ〜３３ｆ  ＯＲゲート（論理和回路）
３２ａ〜３２ｆ，３４ａ〜３４ｆ  インバータ（反転回路）
１１３〜１１５  ＡＰＳ部（選択受信部）
【図１】
0003771479.tif 000003
【図２】
0003771479.tif 000004
【図３】
0003771479.tif 000005
【図４】
0003771479.tif 000006
【図５】
0003771479.tif 000007
【図６】
0003771479.tif 000008
【図７】
0003771479.tif 000009
【図８】
0003771479.tif 000010
【図９】
0003771479.tif 000011
【図１０】
0003771479.tif 000012